(57)【要約】      （修正有）【課題】例えば１カ月分から、２カ月、３カ月、４カ月、５カ月、６カ月と、使用者の目的に合わせて多様な組み合わせに一覧表示ができるので、切取りをしなくても、月順の一覧の変更ができ、一覧形態も多様となるカレンダーを提供する。【解決手段】１月から１２月までの各月暦３をそれぞれの紙葉１に同大に表示したカレンダーＰにおいて、原型としては紙葉１の連続により折り畳み可能な無端の環状帯に形成され、その環状帯の外周面に各月暦３を月順に配列して循環して表示され、折り畳みについては、各月暦３の紙葉１ごとに反転し得るよう、紙葉１間に反転のための折れ目７を設けて構成される。【選択図】図１
0003215897.tif 000002
【実用新案登録請求の範囲】
【請求項１】
１月から１２月までの各月暦をそれぞれの紙葉に同大に表示したカレンダーにおいて、原型としては紙葉の連続により折り畳み可能な無端の環状帯に形成され、その環状帯の外周面に各月暦を月順に配列して循環して表示され、折り畳みについては、各月暦の紙葉ごとに反転し得るよう、紙葉間に反転のための折れ目を設けてなることを特徴とするカレンダー。
【請求項２】
各紙葉の上下両端縁の中央に折り畳みの重なりにより一致するピン等の通し孔を設けてあることを特徴とする請求項１記載のカレンダー。
【請求項３】
環状帯が輪形の裏返し可能に形成され、少なくとも１以上の紙葉に、裏返しにより表面となる面に表紙デザインを設けてあることを特徴とする請求項１記載のカレンダー。
【考案の詳細な説明】
【技術分野】
【０００１】
この考案は、当月の暦とともに目的に応じて他の月暦も一覧できるカレンダーに関する。
【背景技術】
【０００２】
カレンダーは、一般的に、１２か月間の各暦を記載した十数枚の紙葉を綴ってあり、上端にそのための止縁を設け、止縁にピンを通したりフックや釘等に掛ける孔を設け、または掛止金等が取り付けられる。月暦の各数字の横にはメモ用の空白が設けられ、予定を組むために空白が利用される。しかし、予定およびメモは、当月を越えて他の月に及んで記載する必要も多く、これに応えた、各紙葉には当月の暦を大きく載せるほかに、昨月と来月の小さな添え暦を参考的に片隅に載せられる。
【０００３】
しかしながら、小さい添え暦であると、メモする余白が少なく不便であり、メモ等の記入が不明確にないやすく、また数字や文字が小さくてよく見えない老人や視力障害者には不親切である。そこで、３か月毎の同大の月暦を一紙葉ごとに記載されることがある。これは３か月分が同時変換となるが、１か月ごとの月替わり可能な仕組みとなるものが提案される（文献１）。
【先行技術文献】
【特許文献】
【０００４】
【特許文献１】実用新案登録第３１７７５７７号公報
【考案の概要】
【考案が解決しようとする課題】
【０００５】
前記月替わりの仕組みについては、同大に３カ月の暦を載せた各紙葉において、いずれかの月暦を切り取りうるよう横ミシン目と、３等分の縦ミシン目とを配設したもので、そこで例えば、４月暦を切り取るとその下（次の下の）紙葉の７月の暦が現れる。しかし、このように月替わりすると一覧表示形式が保持されるものの、３カ月の月順が、「７月」、「５月」、「６月」と不順となる欠点があった。また、紙葉の切取り操作が面倒であり、しかも、切り取った紙葉に貴重なメモがあれば紛失して困ることになるという問題があった。
【０００６】
この考案は、上記のような実情に鑑みて、例えば１カ月分から、２カ月、３カ月、４カ月、５カ月、６カ月と、使用者の目的に合わせて多様な組み合わせに一覧表示ができるので、切取りをしなくても、月順の一覧の変更ができ、一覧形態も多様となるカレンダーを提供することを課題とした。
【課題を解決するための手段】
【０００７】
上記の課題を解決するために、この考案は、１月から１２月までの各月暦をそれぞれの紙葉に同大に表示したカレンダーにおいて、原型としては紙葉の連続により折り畳み可能な無端の環状帯に形成され、その環状帯の外周面に各月暦を月順に配列して循環して表示され、折り畳みについては、各月暦の紙葉ごとに反転し得るよう、紙葉間に反転のための折れ目を設けてなることを特徴とするカレンダーを提供する。
【０００８】
カレンダーを上記のように構成したから、これを使用するときには、環状の輪を二つ合せにして鋲止め等により上端で壁掛けして吊るすと、半年分の一覧ができるとともに、順繰りに上げて月替わりに対応できる。また、一覧する複数の月を選んでその暦表示の紙葉の配列群を前面としてそれだけを一覧表示し、他の紙葉をその裏に畳み隠す展示方もできる。
【考案の効果】
【０００９】
以上説明したように、この考案のカレンダーによれば、切取りをしなくても、新たな月配列の一覧表示形式を取ることができ、一覧表示した余りを裏側へ適当に折りたたんで必要面を一覧可能になし得るので、長期にわたるスケジュールを立てやすく、メモ書きもしやすい。また、月替わり変換に切取りが伴わないので、メモ書きが紛失するような不都合がなく一年を通じて全体的に保存されるという優れた効果がある。
【図面の簡単な説明】
【００１０】
【図１】この考案のカレンダーを環状の原型において示す斜視図である。
【図２】同カレンダーにおいて、三カ月一覧表示の使用例を部分的に切り欠いて示す正面図である。
【図３】同カレンダーにおいて、（イ）図は六カ月一覧表示形態として、（ロ）図は一カ月一覧表示形態として、（ハ）図は二カ月一覧表示形態として、（ニ）図は四カ月一覧表示形態として、それぞれ使用例を示す説明図である。
【考案を実施するための形態】
【００１１】
この考案のカレンダーP では、次に縦長使用についての実施形態を示すが、横長の一覧表示形態に使用できるよう実施することもできる。
【実施例】
【００１２】
図１は一実施例を示したもので、そのカレンダーは、１月から１２月の月別暦３の紙葉１、１、・・からなると共に、その月順番に循環するよう輪形に接続してあって、循環接続のために両方の紙葉１，１間に接着テープ５が貼着され、紙葉１，１間が接着テープ５による折り目７となっている。
【００１３】
また、各紙葉１，１の折り目７の近くの端縁には、中央部に通し孔９が設けられ、各通し孔９，９、・・は、折り畳みにより一致する同じ箇所に開けられている。この通し孔９は、壁掛けのフックに掛けられたり、鋲止めに利用されたりして使用される。なお、横展示の際には通し孔は必ずしも要しないので無しの場合もある。
【００１４】
輪形に開いてみると（図１）、月暦３を外面にして１月から１２月の紙葉１，１、・・が円形に無端に連続している。そして平面化して、折り目５を介して連続する１又は複数枚の月暦３を一覧に表示できるものである。以下に例示する。
【００１５】
図２は、３月、４月、５月の３か月を葉群Aとして一覧表示した場合であって、これは４月が中心となるもので、組み方については、上記３カ月の表示葉群Aのその上端に２月、１月、１２月の葉群Bが折り返され、下端には、６月、７月、８月の葉群Cが折り返され、葉群B,C間には、９月、１０月、１１月の葉群Dが介在している。この実施例の場合は、同長の偶数群A,B,C,Dであるので、表示の裏に均一に重ねて折りたたまれる。その他の折り畳み方を図３で説明する。
【００１６】
（他の折り畳み方）
図３は、他の折り畳み方を示したもので、（イ）図は、１月から６月までの半年を一覧表示した場合で、二つ合せの折り畳み形態であるので、月替わりには１紙葉分ずつ（S）繰り上げられる。
【００１７】
（ロ）図は、１月を一覧表示したもので、イ図のものを単に交互に折り畳まれる。（ハ）図は、１月、２月の一覧表示形態であるが、同じくイ図のものを２か月分ずつ折り返される。また、（二）図のものでは、イ図で示せば下端の２カ月分が共に裏へ折り込まれる。なお、重ねりを鋲止めされる。
【００１８】
なお、裏側には、図１に示すように、一部紙葉１に表紙デザイン１１が記載されているので、輪形を反転させてから、折り畳みにより表示デザイン１１を単独で展示できる（図３（ロ）図参照）。
【符号の説明】
【００１９】
P  カレンダー
１  紙葉
３  月暦
５  接着テープ
７  折り目
９  通し孔
１１  表紙デザイン
【図１】
0003215897.tif 000003
【図２】
0003215897.tif 000004
【図３】
0003215897.tif 000005